【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
複数のワイヤレスデバイス間でレンジングするための方法であって、前記複数のワイヤレスデバイスにおける第１のワイヤレスデバイスで、
第１のチャネル上での送信のための第１の送信電力、および第２のチャネル上での送信のための、前記第１の送信電力よりも低い第２の送信電力を選ぶことと、
第１のパケットを備える一次部分シンボルを、前記第１の送信電力に従った前記第１のチャネル上で、送信することと、
二次部分シンボルを、前記第２の送信電力に従った前記第２のチャネル上で、送信すること、ここにおいて、前記二次部分シンボルは、前記一次部分シンボルと同時に送信され、前記二次部分シンボルは、前記第１のパケットの複製である第２のパケットを備える、と、
前記第１のワイヤレスデバイスで、前記第１および第２の送信電力間の電力比を維持しながら、高スループットロングトレーニングフィールドシンボルまたは超高スループットロングトレーニングフィールドシンボルを繰り返し送信することと、
を備え、
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、方法。
【請求項２】
前記第１および第２のチャネルは、各々２０ＭＨＺの帯域幅を有し、前記第２のチャネルは、前記第１のチャネルに周波数が実質的に隣接する、請求項１に記載の方法。
【請求項３】
前記第１および第２の送信電力間の電力比は、
固定的、または
前記複数のワイヤレスデバイスにおける第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて適応的である、
請求項１に記載の方法。
【請求項４】
前記第１のワイヤレスデバイスで、
前記繰り返された高スループットロングトレーニングフィールドシンボルまたは前記繰り返された超高スループットロングトレーニングフィールドシンボルの繰り返し係数、    前記電力比、または
両方、
を示す制御情報を送信することをさらに備える、請求項１に記載の方法。
【請求項５】
複数のワイヤレスデバイス間でレンジングする際に使用するための装置であって、
第１のチャネル上での送信のための第１の送信電力、および第２のチャネル上での送信のための、前記第１の送信電力よりも低い第２の送信電力を選ぶための手段と、
前記第１の送信電力に従った前記第１のチャネル上で、第１のパケットを備える一次部分シンボルを送信するための手段と、
前記第２の送信電力に従った前記第２のチャネル上で、二次部分シンボルを送信するための手段、ここにおいて、前記二次部分シンボルは、前記一次部分シンボルと同時に送信され、前記二次部分シンボルは、前記第１のパケットの複製である第２のパケットを備える、と、
前記第１および第２の送信電力間の電力比を維持しながら、高スループットロングトレーニングフィールドシンボルまたは超高スループットロングトレーニングフィールドシンボルを繰り返し送信するための手段と、
を備え、
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
に少なくとも部分的に基づく、装置。
【請求項６】
前記第１および第２のチャネルは、各々２０ＭＨＺの帯域幅を有し、前記第２のチャネルは、前記第１のチャネルに周波数が実質的に隣接する、請求項５に記載の装置。
【請求項７】
前記第１および第２の送信電力間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に少なくとも部分的に基づいて適応的である、
請求項５に記載の装置。
【請求項８】
前記繰り返された高スループットロングトレーニングフィールドシンボルまたは前記繰り返された超高スループットロングトレーニングフィールドシンボルの繰り返し係数、    前記電力比、または
両方、
を示す制御情報を送信するための手段をさらに備える、請求項５に記載の装置。
【請求項９】
前記一次部分シンボルを前記送信するための手段の少なくとも一部分は、半導体のダイ上に統合される、請求項５に記載の装置。
【請求項１０】
前記装置は、モバイルデバイスの少なくとも一部分である、請求項５に記載の装置。
【請求項１１】
コンピュータ読み取り可能媒体であって、
第１のチャネル上での送信のための第１の送信電力、および第２のチャネル上での送信のための、前記第１の送信電力よりも低い第２の送信電力を選ぶことと、
第１のパケットを搬送する一次部分シンボルの、前記第１の送信電力に従った前記第１のチャネル上での送信を開始することと、
二次部分シンボルの、前記第２の送信電力に従った前記第２のチャネル上での送信を開始すること、ここにおいて、前記二次部分シンボルは、前記一次部分シンボルと同時に送信され、前記二次部分シンボルは、前記第１のパケットの複製である第２のパケットを備える、と、
を行うように、プロセッサによって実行可能なプロセッサ実行可能命令を記憶し、
前記プロセッサ実行可能命令は、前記第１および第２の送信電力間の電力比を維持しながら、高スループットロングトレーニングフィールドシンボルまたは超高スループットロングトレーニングフィールドシンボルを繰り返し送信することを開始するように前記プロセッサによってさらに実行可能であり、
前記高スループットロングトレーニングフィールドシンボルまたは前記超高スループットロングトレーニングフィールドシンボルの繰り返しの数は、
前記電力比、
前記より高い送信電力と前記より低い送信電力とが組み合わされた電力、または
それらの組み合わせ、
のうちの少なくとも１つに基づく、コンピュータ読み取り可能媒体。
【請求項１２】
前記第１および第２のチャネルは、各々２０ＭＨＺの帯域幅を有し、前記第２のチャネルは、前記第１のチャネルに周波数が実質的に隣接する、請求項１１に記載のコンピュータ読み取り可能媒体。
【請求項１３】
前記第１および第２の送信電力間の電力比は、
固定的、または
第２のワイヤレスデバイスへの推定された送信距離、
前記第２のワイヤレスデバイスへの既知の送信距離、
前記第２のワイヤレスデバイスから受信された信号の測定された電力、または
それらの何らかの組み合わせ、
に部分的に基づいて適応的である、
請求項１１に記載のコンピュータ読み取り可能媒体。
【請求項１４】
前記プロセッサ実行可能命令は、
前記繰り返された高スループットロングトレーニングフィールドシンボルまたは前記繰り返された超高スループットロングトレーニングフィールドシンボルの繰り返し係数、    前記電力比、または
両方、
を示す制御情報の送信を開始するように前記プロセッサによってさらに実行可能である、請求項１１に記載のコンピュータ読み取り可能媒体。